(57)【要約】【課題】エアフィルタの掃除運転のために映像の視聴終了後の処理時間が長くなることを防ぐとともに、エフィルタの掃除運転による塵埃の再飛散を少なくした投写型映像表示装置を提供することを目的とする。【解決手段】本発明に係る投写型映像表示装置は、冷却空気除塵用のエアフィルタと、エアフィルタを通して機外空気を吸入して液晶ライトバルブ２４へ送風する吸気ファン２７と、機内空気を光源ランプ２５へ送風するランプ冷却ファン２８と、機内空気を排気する排気ファン２９とを備える。そして、この投写型映像表示装置ではエアフィルタの目詰まりを防ぐためにエアフィルタに付着した塵埃を除去する掃除運転が行われる。この掃除運転シーケンスは、投写運転が停止された後に吸気ファン２７が停止されるとともにランプ冷却ファン２８及び排気ファン２９が運転されて光源ランプ２５が冷却されるクーリング運転投写運転中に行われる。【選択図】図７
2012128281.tif 000002
【特許請求の範囲】
【請求項１】
機外空気を冷却空気として取り入れる空気吸込口と、この空気吸込口にエアフィルタが取り付けられたエアフィルタ装置と、ライトバルブを冷却する冷却空気として前記エアフィルタを通して吸入された空気を送風する吸気ファンと、光源ランプを冷却する冷却空気として機内空気を光源ランプに送風するランプ冷却ファンと、光源ランプ又はライトバルブを冷却した機内空気を排気するための排気ファンとを備えた投写型映像表示装置において、
前記エアフィルタ装置は、掃除運転シーケンスによりエアフィルタに付着した塵埃を除去する掃除運転が行われるように構成され、
この掃除運転シーケンスは、投写運転が停止された後に吸気ファンが停止されるとともにランプ冷却ファン及び排気ファンが運転されて光源ランプが冷却されるクーリング運転時に、前記掃除運転が行われるように構成されている
ことを特徴とする投写型映像表示装置。
【請求項２】
請求項１記載の投写型映像表示装置において、
前記掃除運転シーケンスは、投写運転停止の際に、予め設定された一定の条件を満たしている場合に掃除運転が行われるように構成されている
ことを特徴とする投写型映像表示装置。
【請求項３】
請求項２記載の投写型映像表示装置において、
前記掃除運転シーケンスは、投写運転停止の際に、エアフィルタの掃除運転後の累積使用時間が予め定められた標準設定時間を越えている場合、又は、エアフィルタの目詰まりが検出されている場合に前記一定の条件を満たすものとして取り扱われる
ことを特徴とする投写型映像表示装置。
【請求項４】
請求項３記載の投写型映像表示装置において、
前記掃除運転シーケンスは、投写運転中に、エアフィルタの掃除運転後の累積使用時間が予め設定された標準設定時間を越えた場合において、その後さらに投写運転が継続されることにより、エアフィルタの標準設定時間経過後の付加使用時間が予め設定された付加設定時間を越えた場合に投写運転の停止を待たずに掃除運転が行われる
ことを特徴とする投写型映像表示装置。
【請求項５】
請求項２記載の投写型映像表示装置において、
前記掃除運転シーケンスは、投写運転中に、エアフィルタの目詰まりが検出された場合には投写運転の停止を待たずに掃除運転が行われる
ことを特徴とする投写型映像表示装置。
【請求項６】
請求項１〜５の何れか１項に記載の投写型映像表示装置において、
前記掃除運転シーケンスは、投写運転停止の際に掃除運転が行われた直後の投写運転開始時においては、投写運転を行いながらエアフィルタの塵埃を除去する掃除運転を行うように構成されている
ことを特徴とする投写型映像表示装置。
【請求項７】
請求項６記載の投写型映像表示装置において、
前記掃除運転シーケンスは、投写運転時の掃除運転時間が投写運転停止の際の掃除運転時間よりも長くなるように構成されている
ことを特徴とする投写型映像表示装置。
【発明の詳細な説明】
【技術分野】
【０００１】
本発明は、投写型映像表示装置に関し、特に、機外空気取り入れ用のエアフィルタが目詰まりするのを防止するために、適切な時期にエアフィルタに付着した塵埃を自動的に除去する掃除運転を行うようにした投写型映像表示装置に関する。
【背景技術】
【０００２】
従来３板式液晶投写型映像表示装置等の投写型映像表示装置では、冷却空気として機外空気を吸入し、これを冷却対象の光学部品へ送風する方法が取られている。特に、投写型映像表示装置では、光源に用いられる光源ランプが高温になるため、液晶ライトバルブや光源ランプを冷却空気で冷却するようにしている。
【０００３】
また、このような投写型映像表示装置では、機外空気除塵用のエアフィルタが用いられているが、エアフィルタは時間の経過とともに塵埃が蓄積される。また、塵埃の蓄積量が多くなるとエアフィルタが目詰まりして吸入空気量が減少し、冷却効果が低下する。このため、最近では、適切な時期にエアフィルタに付着した塵埃をブラシ等により自動的に掃除（除去）する掃除運転機能を備えた投写型映像表示装置が開発されている。
【０００４】
また、この掃除運転は、特許文献１では、投写運転中にタイマにより一定時間毎にフィルタに付着した塵埃を除去するように行われている。また、特許文献２では、投写運転中に、目詰まりセンサが閾値を検出したとき又は投写型映像表示装置の累積使用時間が所定時間に到達したときに掃除運転が行われている。
【０００５】
また、特許文献３は、光源ランプを消灯して投写運転を終了し、光源ランプやライトバルブなどを冷却するクーリング運転が終了した後に、つまり、機外空気を取り入れるファンが停止した後に、エアフィルタの塵埃を除去する掃除運転が行われている。
【先行技術文献】
【特許文献】
【０００６】
【特許文献１】特開２０１０−７５８６３号公報
【特許文献２】特開２０１０−１１９９４１号公報
【特許文献３】特開２００８−１７０８０８号公報
【発明の概要】
【発明が解決しようとする課題】
【０００７】
しかしながら、特許文献１及び特許文献２のものでは、掃除運転が投写運転中に行われている。つまり、機外空気を冷却空気として取り入れて冷却対象の光学部品へ送風するファンが運転されている状態で、エアフィルタの塵埃を除去する掃除運転が行われている。したがって、この掃除運転においては、エアフィルタから除去された塵埃が光学部品へ送風される冷却空気中に再飛散し混入される可能性がある。
【０００８】
また、特許文献３のものでは、機外空気を取り入れるファンが停止された後にエアフィルタの塵埃を除去する掃除運転が行われるので、エアフィルタから除去された塵埃が冷却空気中に再飛散し混入される可能性はない。しかしながら、投写型映像表示装置を接続する設備では、投写型映像表示装置などの個々の機械毎に電源が切られるような設備になっていないことが多く、一連の設備システムの電源が１箇所に纏められていることが多い。また、この投写型映像表示装置は映像の視聴終了からエアフィルタの掃除運転終了までの時間が長くかかっていた。このため、この投写型映像表示装置の場合には、エアフィルタの掃除運転シーケンスが完了する前に電源が切断されるおそれがあった。
【０００９】
本発明は、従来技術におけるこのような課題に鑑み成されたものであって、エアフィルタの掃除運転のために映像の視聴終了後の処理時間が長くなることを防ぐとともに、エフィルタの掃除運転による塵埃の再飛散を少なくした投写型映像表示装置を提供することを目的とする。
【課題を解決するための手段】
【００１０】
請求項１に記載の発明は、機外空気を冷却空気として取り入れる空気吸込口と、この空気吸込口にエアフィルタが取り付けられたエアフィルタ装置と、ライトバルブを冷却する冷却空気として前記エアフィルタを通して吸入された空気を送風する吸気ファンと、光源ランプを冷却する冷却空気として機内空気を光源ランプに送風するランプ冷却ファンと、光源ランプ又はライトバルブを冷却した機内空気を排気するための排気ファンとを備えた投写型映像表示装置において、前記エアフィルタ装置は、掃除運転シーケンスによりエアフィルタに付着した塵埃を除去する掃除運転が行われるように構成され、この掃除運転シーケンスは、投写運転が停止された後に吸気ファンが停止されるとともにランプ冷却ファン及び排気ファンが運転されて光源ランプが冷却されるクーリング運転時に、前記掃除運転が行われるように構成されていることを要旨とする。
【００１１】
ここに、吸気ファンとは、エアフィルタを通して機外空気を吸入し、吸入された機外空気を機内のライトバルブへ送風するファンをいう。また、ランプ冷却ファンとは、機内空気を吸入してこの機内空気を光源ランプへ送風するファンをいい、排気ファンとは、機内空気を機外へ排出するためのファンをいう。
【００１２】
上記構成によれば、エアフィルタに付着した塵埃を除去する掃除運転は、吸気ファンが停止された状態で行われるので、掃除運転によりエアフィルタから除去された塵埃が冷却空気中に再飛散して機内に取り込まれるおそれがない。また、この掃除運転は、光源ランプを冷却するクーリング期間中に行われるので、映像の視聴を終了する投写運転終了に際してはクーリング運転後にエアフィルタの掃除運転時間を別途に設ける必要がない。したがって、エアフィルタの掃除運転のために映像の視聴終了後の処理時間が長くなることを防ぐことができる。
【００１３】
なお、この掃除運転中には、前記エアフィルタを通過させずに機外空気を取り入れる必要があるが、この機外空気の取り入れは、外装ケースに形成されている接合部の隙間、あるいは、積極的に機外空気を機内に取り込めるように外装ケースに形成された開口部から行われる。
【００１４】
請求項２に記載の発明は、請求項１記載の投写型映像表示装置において、前記掃除運転シーケンスは、投写運転停止の際に、予め設定された一定の条件を満たしている場合に掃除運転が行われるように構成されていることを要旨とする。
【００１５】
上記構成によれば、投写運転停止の際の掃除運転は毎回行われるのではなく、予め設定された一定の条件を満たしている場合に行われるので、この一定の条件をエアフィルタの目詰まり程度が高いと予測される内容とすることにより、不要な掃除運転を回避することができる。
【００１６】
請求項３に記載の発明は、請求項２記載の投写型映像表示装置において、前記掃除運転シーケンスは、投写運転停止の際に、エアフィルタの掃除運転後の累積使用時間が予め定められた標準設定時間を越えている場合、又は、エアフィルタの目詰まりが検出されている場合に前記一定の条件を満たすものとして取り扱われることを要旨とする。
【００１７】
ここで、エアフィルタの使用時間は、吸気ファンの運転開始から停止までの時間であり、この発明においては投写運転の時間に等しい。また、エアフィルタの累積使用時間は、エアフィルタの使用時間の累積であり、標準設定時間は、エアフィルタの目詰まりを判断するために予め設定された時間をいう。
【００１８】
上記構成によれば、エアフィルタの掃除運転後の累積使用時間が予め定められた標準設定時間を越えている場合、又は、エアフィルタの目詰まりが検出されている場合にのみ掃除運転が行われる。したがって、２４時間連続して投写運転されるような特殊用途でない限りエアフィルタの目詰まりによる光学部品の冷却不足を回避することができる。また、エアフィルタの目詰まり程度とは関係なく投写運転停止の際に毎回掃除運転が行われる場合と比較すると、無駄な掃除運転を排除することができる。また、投写運転中にエアフィルタの塵埃を除去する掃除運転が行われることがないので、エアフィルタに付着した塵埃が冷却空気中に再飛散するおそれをなくすることができる。
【００１９】
請求項４に記載の発明は、請求項３記載の投写型映像表示装置において、投写運転中に、エアフィルタの掃除運転後の累積使用時間Ｔが予め設定された標準設定時間を越えた場合において、その後さらに投写運転が継続されることにより、エアフィルタの標準設定時間経過後の付加使用時間が予め設定された付加設定時間を越えた場合に投写運転の停止を待たずに掃除運転が行われることを要旨とする。
【００２０】
ここで、エアフィルタの付加使用は、エアフィルタが標準設定時間を越えて継続的に使用される場合におけるエアフィルタの使用のことをいい、エアフィルタの付加使用時間は、エアフィルタが付加使用されている時間、つまり標準設定時間経過後のエアフィルタの使用時間をいう。また、エアフィルタの付加設定時間は、エアフィルタの付加使用を許容する時間として予め設定された時間のことをいう。
【００２１】
上記構成によれば、請求項４記載の投写型映像表示装置において、投写運転中に予め設定された標準設定時間を越えた場合において、その後の付加使用時間が予め設定された付加設定時間を越えた場合に投写運転中であってもエアフィルタの塵埃を除去する掃除運転が行われるように構成されている。したがって、２４時間連続投写運転されるおそれのある用途や、通常２４時間連続投写運転が行われる特殊用途に使用される場合であっても、この掃除運転を行うことによりエアフィルタの目詰まりを防止することができる。また、投写運転停止の際に、エアフィルタの掃除運転後の累積使用時間が予め定められた前述の標準設定時間を越えている場合、又は、エアフィルタの目詰まりが検出されている場合には、前述の請求項４の発明の場合と同様に掃除運転が行われる。したがって、前記請求項４記載の発明と同様に、投写運転停止の際の無駄な掃除運転を排除することができる。
【００２２】
請求項５に記載の発明は、請求項２記載の投写型映像表示装置において、前記掃除運転シーケンスは、投写運転中に、エアフィルタの目詰まりが検出された場合には投写運転の停止を待たずに掃除運転が行われ、さらに、投写運転停止の際に、エアフィルタの掃除運転後の累積使用時間が予め定められた標準設定時間を越えている場合に前記一定の条件を満たすものとして取り扱われることを要旨とする。
【００２３】
上記構成によれば、投写運転中に、目詰まりが検出された場合には、投写運転中であってもエアフィルタの塵埃を除去する掃除運転が緊急例外的に行われるように構成されている。したがって、投写型映像表示装置が長時間運転される場合には、確実にエアフィルタの目詰まりを防止することができる。また、投写運転停止の際に、エアフィルタの掃除運転後の累積使用時間が予め定められた標準設定時間を越えている場合にのみ掃除運転が行われる。したがって、前記請求項４記載の発明と同様に、無駄な掃除運転を排除することができる。
【００２４】
請求項６に記載の発明は、請求項１〜５の何れか１項に記載の投写型映像表示装置において、前記掃除運転シーケンスは、投写運転停止の際に掃除運転が行われた直後の投写運転開始時においては、投写運転を行いながらエアフィルタの塵埃を除去する掃除運転を行うように構成されていることを要旨とする。
【００２５】
前述の運転停止時や投写運転中の掃除運転では、時間をかけて掃除することが難しいので、エアフィルタに付着した塵埃を完全に除去することができない。例えば回転ブラシを回転させながらエアフィルタ表面上を左右方向に移動させてエアフィルタに付着した塵埃を除去する掃除運転の場合には、時間の都合上、回転ブラシは１回しか往復移動させることができない場合がある。しかしながら、この１回の往復移動により大半の塵埃が除去されている。したがって、この状態で運転を開始する場合には、吸気ファンを回転させながら掃除運転をしても塵埃の飛散が少なく問題がないと考えられる。この発明はこのような観点から、運転停止の際に掃除運転が行われた直後の投写運転開始時において、投写運転を行いながらエアフィルタの塵埃を除去する掃除運転を行うようにし、これによりエアフィルタの長寿命化を図っている。
【００２６】
請求項７に記載の発明は、請求項６記載の投写型映像表示装置において、前記掃除運転シーケンスは、投写運転時の掃除運転時間が投写運転停止の際の掃除運転時間よりも長くなるように構成されていることを要旨とする。
【００２７】
このように構成されていると、エアフィルタの掃除をより完全に行うことができるので、エアフィルタに付着して永久的に残存する塵埃量を低減することができ、エアフィルタの寿命を延長することができる。
【発明の効果】
【００２８】
本発明に係る投写型映像表示装置によれば、エアフィルタに付着した塵埃を除去する掃除運転は、吸気ファンが停止された状態で行われるので、掃除運転によりエアフィルタから除去された塵埃が冷却空気中に再飛散して機内に取り込まれるおそれがない。また、この掃除運転は、光源ランプを冷却するクーリング期間中に済まされるので、エアフィルタの掃除運転のために映像の視聴終了後の処理時間が長くなることがない。
【図面の簡単な説明】
【００２９】
【図１】実施の形態１に係る投写型映像表示装置の下方から見た斜視図。
【図２】同投写型映像表示装置の底部から取り出された状態のエアフィルタ装置の斜視図。
【図３】同投写型映像表示装置の概略全体構成を示す機能ブロック図。
【図４】同投写型映像表示装置における冷却システムの模式構成図。
【図５】同投写型映像表示装置におけるエアフィルタの掃除運転シーケンスのフローチャート。
【図６】同掃除運転シーケンスにおける第１掃除運転サブルーチンのフローチャート。
【図７】同掃除運転シーケンスのタイミングチャート。
【図８】実施の形態２に係る投写型映像表示装置におけるエアフィルタの掃除運転シーケンスのフローチャート。
【図９】同掃除運転シーケンスにおける第２掃除運転サブルーチンのフローチャート。
【図１０】実施の形態３に係る投写型映像表示装置におけるエアフィルタの掃除運転シーケンスのフローチャート。
【図１１】実施の形態４に係る投写型映像表示装置におけるエアフィルタの掃除運転シーケンスのフローチャート。
【図１２】実施の形態５に係る投写型映像表示装置におけるエアフィルタの掃除運転シーケンスのフローチャート。
【図１３】同フローチャートの後半部分。
【図１４】実施の形態６に係る投写型映像表示装置におけるエアフィルタの掃除運転シーケンスのフローチャート。
【図１５】同フローチャートの後半部分。
【図１６】実施の形態７に係る投写型映像表示装置におけるエアフィルタの掃除運転シーケンスのフローチャート。
【図１７】同フローチャートの後半部分。
【発明を実施するための形態】
【００３０】
（実施の形態１）
以下、本発明の実施の形態１に係る投写型映像表示装置について図１〜図７を参照しながら説明する。なお、以下の説明において、上下左右方向又は前後方向をいうときは、各図における上下左右方向又は前後方向をいうものとする。
【００３１】
本実施の形態に係る投写型映像表示装置は、３板式液晶投写型映像表示装置であって、図１の外観斜視図に示すような箱型の外装ケース１を備えている。外装ケース１は、底部四隅に脚部２を有しており、機外空気を冷却空気として取り入れるための空気吸込口３が外装ケース１の底面に設けられている。また、この空気吸込口３にエアフィルタ装置１０が配置されている。
【００３２】
エアフィルタ装置１０は、エアフィルタ１１と、エアフィルタ１１を自動的に掃除する装備とがユニット化されたものであって、図２に示すようにフィルタユニットとして構成されている。このエアフィルタ装置１０は、外装ケース１に対し投写レンズ４が配置されている正面側からスライド式に着脱可能に形成されている。
【００３３】
また、エアフィルタ装置１０は、図２に斜視図を示すとともに図３に概略構成図を示すように、筐体１２上にエアフィルタ１１と、自走式掃除部１３と、筐体１２上におけるエアフィルタ１１の前面側及び後面側に配置されたラック１４と、このラック１４に噛み合うピニオン１５とが取り付けられている。さらに、エアフィルタ装置１０には、自走式掃除部１３の移動を検知する待機位置センサ１６ａと折り返し位置センサ１６ｂ、自走式掃除部１３を投写型映像表示装置本体と電気的に接続するための基板１７などが取り付けられている。
【００３４】
また、自走式掃除部１３は、図３に示すように、エアフィルタ１１に捕捉された塵埃を掻き取るための回転ブラシ１８、ピニオン１５及び回転ブラシ１８を駆動するためのモータ１９、回転ブラシ１８により掻き取られた塵埃を溜めるためのダストボックス２０などを備えている。
【００３５】
エアフィルタ１１は、図１に示すように、外装ケース１の底面に形成された空気吸込口３を閉塞するように設けられている。エアフィルタ１１は、下方空間に露出される１次エアフィルタと、１次エアフィルタの内部側、すなわち、その風下側に配置された２次エアフィルタ（不図示）とからなる。
【００３６】
このように構成された投写型映像表示装置は、図３の機能ブロック図に示されるような制御装置を備えている。
この投写型映像表示装置は、映像生成に関連する要素として、映像信号入力部２１、映像信号処理部２２、液晶ライトバルブ駆動部２３、液晶ライトバルブ２４、光源ランプ２５、ランプ電源部２６を備えている。また、光学系機器の冷却システムに関連する要素として，吸気ファン２７、ランプ冷却ファン２８、排気ファン２９、エアフィルタ装置１０のモータ１９を駆動するためのモータ駆動部３０、目詰まりセンサ３１、記憶部３２を備えている。さらに、この投写型映像表示装置は、装置全体の動作に関連する要素として、制御部３３、操作部３４及び全体電源部３５を備えている。以下これら装置についてさらに詳しく説明する。
【００３７】
そこで、先ず、映像生成に関連する要素について説明する。
映像信号入力部２１には各種映像再生機器からの映像信号が入力される。映像信号入力部２１に入力された映像信号は、Ａ／Ｄ変換、デコード等の適宜の処理が施されてデジタル信号に変換されて映像信号処理部２２へ出力される。
【００３８】
映像信号処理部２２においては、入力された映像信号に対しスケーリング処理、ガンマ補正、輝度補正などの一般的な映像処理が行われ、このような処理が行われた映像信号が液晶ライトバルブ駆動部２３へ出力される。
【００３９】
液晶ライトバルブ駆動部２３においては、映像信号処理部２２から入力された映像信号が、緑色光用、赤色光用及び青色光用の液晶ライトバルブを構成する液晶セルを駆動することができる信号形態に変換される。また、この液晶ライトバルブ駆動部２３においては、緑色光用、赤色光用及び青色光用の各液晶セルを駆動のための駆動パルスが同時に生成される。
【００４０】
液晶ライトバルブ２４は、図４に示すように、赤色光用の液晶ライトバルブ２４Ｒ、緑色光用の液晶ライトバルブ２４Ｇ及び青色光用の液晶ライトバルブ２４Ｂから構成されている。また、各液晶ライトバルブ２４Ｒ，２４Ｇ，２４Ｂは、それぞれ液晶セル、入射偏光板、出射偏光板などから構成されている。各液晶ライトバルブ２４Ｒ，２４Ｇ，２４Ｂは、これらを構成する各液晶セルが入力された映像信号に応じた回転角を持ち、分離光学系からの光を透過させることにより映像を作り出す。その表示映像は、投写レンズ４により所定距離離れた場所にあるスクリーンなどに結像される。
【００４１】
光源ランプ２５は、メタルハライドランプ、超高圧水銀ランプなどの放電型ランプを発光体とし、発光体からの照射光をリフレクタにより平行光として出射するものであって、使用中は高温となる。このため、光源ランプ２５は冷却を必要とする。光源ランプ２５で生成された光は、光学系を介して液晶ライトバルブ２４に送られる。
【００４２】
ランプ電源部２６は、全体電源部３５から入力された直流の電圧を、光源ランプ２５を駆動するのに適した波形の電圧に変換するものであって、光源ランプ２５の始動時あるいは定常動作時などにそれぞれに適した波形の電圧を出力する。
【００４３】
次に、光学系機器の冷却システムに関連する要素について説明する。
吸気ファン２７は、図４に示すように、空気吸込口３に設置されたエアフィルタ１１を介し機外空気を吸入し、吸入した機外空気をダクト２７ａにより各液晶ライトバルブ２４Ｒ，２４Ｇ，２４Ｂへ送風するファンである。また、この吸気ファン２７は、液晶ライトバルブ２４Ｒ，２４Ｇ，２４Ｂを収納する機内５の一角に区画された吸気チャンバ５ａに配置されている。なお、液晶ライトバルブ２４を冷却した後の機外空気は機内５へ放出されている。
【００４４】
ランプ冷却ファン２８は、機内５の空気をダクト２８ａにより光源ランプ２５に供給し、この光源ランプ２５を冷却するファンである。なお、機内５の空気は、投写運転中は、各液晶ライトバルブ２４Ｒ，２４Ｇ，２４Ｂを冷却した後の空気が充満しており、主としてこの空気を吸入する。しかしながら、後記する投写運転停止後の掃除運転時には、吸気ファン２７が停止されるので、外装ケース１の隙間から機外空気が機内５へ吸入され、この機内空気を光源ランプ２５に送風される。なお、この場合において、機内５へ流入する機外空気の量が不足する構造の場合には、外気を直接機内に吸入することを可能とするように開口部５ｂを適宜の場所、例えば図４に図示のようにランプ冷却ファン２８の吸込口近傍に設けるのが好ましい。また、この開口部５ｂには、掃除運転時において機内５が負圧になると開放されるシャッタ５ｃが設けられていることが好ましい。
【００４５】
排気ファン２９は、機内５の空気を排気するファンであって、光源ランプ２５の近傍に設置されており、光源ランプ２５周辺の熱せられた空気を積極的に排出するように構成されている。
【００４６】
モータ駆動部３０は、エアフィルタ１１の自動掃除運転時にエアフィルタ装置１０のモータ１９を駆動制御するものである。エアフィルタ１１に捕捉された塵埃を掻き取るときは、モータ１９を駆動して、回転ブラシ１８を回転させながら自走式掃除部１３を図示左端の折り返し位置へ移動させ、折り返し位置まで移動すると折り返し位置センサ１６ｂからの情報に基づき元の待機位置へ戻すようにモータ１９が駆動される。なお、自走式掃除部１３は、モータ１９によりラック１４とかみ合っているピニオン１５が回転されることにより移動される。このように回転ブラシ１８は、自走式掃除部１３を構成する機器であるが、掃除運転時に回転しながら左右方向に移動するように構成されている。
【００４７】
目詰まりセンサ３１は、エアフィルタ１１が目詰まりを生じた際に、目詰まりセンサ３１を構成する風量センサの出力電圧が変化することに着目したもので、この出力電圧の変化を予め記憶部３２に記憶された電圧閾値と比較し、目詰まりであるかどうか判断するように構成されている。
【００４８】
記憶部３２は、ＲＯＭ型メモリ及び不揮発性ＲＡＭ型メモリにより構成されており、この投写型映像表示装置全体の制御プログラム、エアフィルタ装置１０を制御する掃除運転シーケンスのプログラムなどが記憶されている。その他、エアフィルタ１１の目詰まり状態を判断するために必要な情報、例えばエアフィルタの累積使用時間Ｔ、エアフィルタの目詰まりを判断するために予め設定された標準設定時間Ｔａ、後述する付加使用時間ΔＴ、付加設定時間ΔＴａ、目詰まりセンサ３１の電圧閾値なども記憶されている。エアフィルタ装置１０は、記憶部３２に記憶されたプログラム及び記憶情報に従い制御部３３が作動して制御される。
【００４９】
次に、投写型映像表示装置全体の動作を行うための要素について説明する。
制御部３３は、各部との信号のやり取りを行い、投写型映像表示装置全体の動作が支障なく行われるように各部を制御する。そして、エアフィルタ装置１０を駆動するときは、待機位置センサ１６ａ及び折り返し位置センサ１６ｂからの情報を受け取りながらモータ駆動部３０に対し必要な制御信号を送信する。
【００５０】
操作部３４は、ユーザが機器を操作するために設けられたものであって、運転スイッチ、キー、リモコン、外部コンピュータなどのユーザにより操作される部分を総称する。操作部３４から入力された情報は、制御部３３で処理されて、制御部３３から各部へ操作内容が伝達されて実行される。
【００５１】
全体電源部３５は、外部電源からの交流電力を導き、内蔵するＡＣ／ＤＣ変換部にて変圧、整流及び平滑などの処理を施して安定化させた直流電圧として各部に供給するように構成されている。
【００５２】
次に、本発明の実施の形態１に係る投写型映像表示装置におけるエアフィルタの掃除運転シーケンスについて、図５及び図６のフローチャート、並びに図７のタイミングチャートを参照しながら説明する。
【００５３】
この掃除運転シーケンスは、図５に示すように、先ず、電源が接続されて運転スイッチがＯＮされることにより投写運転が行われる（ステップＳ１１）。次いで、投写運転が開始された後に運転スイッチがＯＦＦされたか判断される（ステップＳ１２）。運転スイッチは、この実施の形態に係る投写型映像表示装置においては操作部３４に設けられている。なお、投写運転中は、光源ランプ２５が点灯されているとともに、吸気ファン２７、ランプ冷却ファン２８及び排気ファン２９が運転されている。また、この投写運転中において、液晶ライトバルブ２４Ｒ，２４Ｇ，２４Ｂは、エアフィルタ１１を介し取り入れられた機外空気を冷却空気として冷却されている。そして、液晶ライトバルブ２４冷却後の機外空気は機内５へ放出されている。また、光源ランプ２５は、この機内空気を冷却空気として冷却されている。さらに、光源ランプ２５を冷却した後の機内空気は排気ファン２９により機外へ排出されている。
【００５４】
運転スイッチがＯＦＦされたと判断されたときは第１掃除運転サブルーチンが作動する（ステップＳ１３）。なお、運転スイッチがＯＦＦされると、光源ランプ２５が消灯されて投写運転が停止される。
【００５５】
第１掃除運転サブルーチンは、図６に示すように、運転スイッチがＯＦＦされた場合の掃除運転の手順を定める。
第１掃除運転サブルーチンにおける最初のステップとして、運転スイッチがＯＦＦされた後に所定時間ｔ１が経過されたか否かが判断される（ステップＳ１１１）。そして、所定時間ｔ１が経過されたとき（ステップＳ１１１でＹＥＳの場合）に吸気ファン２７を停止し（ステップＳ１１２）、エアフィルタ１１に付着した塵埃を除去する掃除運転が実行される（ステップＳ１１３）。
【００５６】
このシーケンスは、図７に示されるように、運転スイッチがＯＦＦされて光源ランプ２５が停止され、そして所定時間ｔ１経過した後に吸気ファン２７が停止される。したがって、この所定時間ｔ１の間、液晶ライトバルブ２４を冷却するクーリング運転が行われる。なお、この所定時間ｔ１は例えば３０秒程度である。また、光源ランプ２５は、同じくこの図７に示すように、運転スイッチＯＦＦの後の所定時間ｔ２の間冷却され、再運転に備えるように構成されている。したがって、所定時間ｔ１の間は、液晶ライトバルブ２４及び光源ランプ２５を冷却するクーリング運転が行われる。
【００５７】
また、この掃除運転は、エアフィルタ１１の表面に付着した塵埃を回転ブラシ１８により機械的に除去することにより行われる。この掃除運転において、回転ブラシ１８は、エアフィルタ１１の表面を回転しながら左方向に移動され、エアフィルタ１１の左端に到達したときに反転して元の位置に戻される。このように、回転ブラシ１８は左右方向に移動される。
【００５８】
ところで、本実施の形態における掃除運転は、図７に示すように、運転スイッチＯＦＦ後に吸気ファン２７を停止するとともにランプ冷却ファン２８及び排気ファン２９を運転する光源ランプ２５のクーリング運転時間終了までの間に終了するように設定されている。このため、時間的余裕がなくこの実施の形態においては回転ブラシ１８の左右方向への移動は１往復とされている。このように、この掃除運転においてはエアフィルタ１１を通過する空気流が停止されているので、エアフィルタ１１から除去された塵埃が冷却空気中に再飛散することはない。
【００５９】
そして、掃除運転が終了すると、第１掃除運転サブルーチンが終了する。また、第１掃除運転サブルーチンが終了すると、少し遅れてランプ冷却ファン２８及び排気ファン２９を停止して（ステップＳ１４）、この実施の形態に係る掃除運転シーケンスを終了する。
【００６０】
実施の形態１に係る投写型映像表示装置は以上のように構成されているので、次のような効果を奏することができる。
（１）本実施の形態によれば、エアフィルタ１１に付着した塵埃を除去する掃除運転は、吸気ファン２７が停止された状態で行われるので、この掃除運転によりエアフィルタ１１から除去された塵埃が冷却空気中に再飛散して機内に取り込まれるおそれがない。
【００６１】
（２）また、本実施の形態によれば、掃除運転は、光源ランプ２５を冷却するクーリング運転中に行われるので、映像の視聴を終了する投写運転終了に際してはクーリング運転後にエアフィルタの掃除運転時間を別途に設ける必要がない。
【００６２】
（３）また、掃除運転が始まる前に液晶ライトバルブ２４Ｒ，２４Ｇ，２４Ｂが冷却されるので、運転スイッチＯＦＦ後に直ちに液晶ライトバルブ２４Ｒ，２４Ｇ，２４Ｂの冷却を停止する場合と比較すると、液晶ライトバルブ２４Ｒ，２４Ｇ，２４Ｂの劣化を抑制することができる。
【００６３】
（実施の形態２）
次に、実施の形態２に係る投写型映像表示装置について、図８及び図９に基づき説明する。なお、以下の説明において実施の形態１と同一の要素には同一の符号を使用するものとする。なお、この点については後記する実施の形態３以降の説明においても同様とする。
【００６４】
実施の形態２は、実施の形態１における第１掃除運転サブルーチンを第２掃除運転サブルーチンに変更したものであって、他の構成は実施の形態１と同一である。
したがって、この実施の形態２に係る掃除運転シーケンスは、図８に示すように、実施の形態１の場合と同様に、運転スイッチがＯＮされることにより投写運転が行われ（ステップＳ２１）、次いで、投写運転が開始された後に運転スイッチがＯＦＦされたか判断される（ステップＳ２２）。運転スイッチがＯＦＦされると、光源ランプ２５が消灯されて投写運転が停止される。そして、第２掃除運転サブルーチンが開始される（ステップＳ２３）。
【００６５】
この第２掃除運転サブルーチンでは、実施の形態１の場合と異なり直ちに吸気ファン２７が停止される（ステップＳ１２１）。したがって、この実施の形態においては、運転スイッチがＯＦＦされて第２掃除運転サブルーチンが始まるときには、液晶ライトバルブ２４の冷却が行われなくなっている。しかしながら、この時点では、ランプ冷却ファン２８及び排気ファン２９が運転されているため、光源ランプ２５を冷却するクーリング運転が併行して行われている。したがって、液晶ライトバルブ２４は、投写運転中の温度から大きく上昇することがなく徐々に冷却される。
【００６６】
また、吸気ファン２７がＯＦＦされると同時に実施の形態１の場合と同様の掃除運転が実行される（ステップＳ１２２）。なお、掃除運転の終了に伴い第２掃除運転サブルーチンが終了する。なお、実施の形態１の場合と同様に、光源ランプ２５を冷却するクーリング運転が終了するまでに、エアフィルタ１１を掃除する掃除運転が終了するように設定されている。
【００６７】
この実施の形態に係る掃除運転シーケンスは、エアフィルタ１１を掃除する掃除運転が終了すると、少し遅れてランプ冷却ファン２８及び排気ファン２９を停止し（ステップＳ２４）、これにより終了する。したがって、この実施の形態に係る掃除運転シーケンスは、実施の形態１におけるものと比較すると、運転スイッチＯＦＦ直後に吸気ファン２７を直ぐ停止する点で異なる。
【００６８】
実施の形態２に係る投写型映像表示装置は以上のように構成されているので、実施の形態１における（１）及び（２）の効果を奏することができる。
このように、前記実施の形態１及び本実施の形態である実施の形態２は、何れも運転スイッチがＯＦＦされた場合に毎回エアフィルタ１１を掃除する掃除運転が行われるものである。
【００６９】
（実施の形態３）
次に、実施の形態３に係る投写型映像表示装置について、図１０に基づき説明する。
実施の形態３は、実施の形態１又は実施の形態２に係る投写型映像表示装置において、投写運転開始時に投写運転を行いながら掃除運転を行うように、投写運転開始時用の掃除シーケンスが追加されたものである。
【００７０】
前述の実施の形態１及び実施の形態２における掃除運転は、投写運転停止の際に光源ランプ２５のクーリング運転中にエアフィルタ１１の掃除運転を完了するようにしているため、回転ブラシ１８を１往復させる程度の時間しか取れない。このために完全に塵埃を除去することができない。しかし、大半の塵埃は除去されているので、その直後の掃除運転開始時に吸気ファン２７を運転しても大量に塵埃が冷却空気中に再飛散することはないと考えられる。実施の形態３はこのような観点に立ち、投写運転開始時に投写運転を行いつつ掃除運転を行うようにしたものである。したがって、実施の形態３は、投写運転停止時に実施の形態１又は実施の形態２の掃除運転が実行されていることを前提とし、投写運転開始時にもエアフィルタ１１が掃除されるようにしたものである。
【００７１】
このような思想に基づいて、実施の形態３に係る投写型映像表示装置は、図１０に示すように投写運転開始時に掃除運転を行う掃除運転シーケンスを備えている。
先ず、電源が接続されることによりスタンバイ状態となる（ステップＳ３１）。次いで、運転スイッチがＯＮされたか判断される（ステップＳ３２）。運転スイッチがＯＮされると、光源ランプ２５がＯＮされるとともに、吸気ファン２７、ランプ冷却ファン２８及び排気ファン２９が運転されて、投写運転が開始される。
【００７２】
このステップにおいて、運転スイッチがＯＮされたと判断された場合には（ステップＳ３２でＹＥＳの場合）、掃除運転が実行される（ステップＳ３３）。掃除運転は、前述のように回転ブラシ１８を回転させながらエアフィルタ１１の表面を左右方向に移動させるものである。
【００７３】
したがって、この実施の形態における掃除運転は吸気ファン２７が運転されているときに行われる。しかし、投写運転停止の際の掃除運転においてエアフィルタ１１に付着している塵埃の大半が除去されているため、エアフィルタから冷却空気中へ再飛散する塵埃の量は僅かであると考えられる。また、この投写運転開始時の掃除運転は、投写運転をしながら掃除をするため時間的余裕があり、回転ブラシ１８の左右方向への移動は１回に限定されず複数回、例えば５回に設定することも可能である。そして、このような掃除運転が終了すると、この実施の形態に係る掃除運転シーケンスを終了する。
【００７４】
実施の形態３に係る投写型映像表示装置は、以上のように構成されているので実施の形態１における（１）〜（３）の効果に加えて、次の効果を奏することができる。
（４）前述の実施の形態１の掃除運転では、時間をかけて掃除することが難しいので、エアフィルタ１１に付着した塵埃を完全に除去することができないが、エアフィルタ１１に付着した大半の塵埃は除去されている。したがって、この状態で投写運転させながら掃除運転を行ってもエアフィルタ１１から冷却空気中へ再飛散する塵埃量は僅かである。本実施の形態は、先の運転停止際の掃除運転に引き続き投写運転開始時に掃除運転を行うようにしたものであって、これによりエアフィルタ１１に付着した塵埃をより完全に除去することができ、エアフィルタ１１の長寿命化を図ることができる。
【００７５】
（実施の形態４）
次に、実施の形態４に係る投写型映像表示装置について、図１１に基づき説明する。
本実施の形態４は、前述の実施の形態１において掃除運転シーケンスのみを変更したものであって、その他の構成は実施の形態１と同一である。
【００７６】
実施の形態１に係る投写型映像表示装置は、投写運転停止の際に必ず掃除運転が行われるように掃除運転シーケンスが構成されていた。しかし、投写運転は短い時間のときもあれば長いときもあり一般には一定ではない。したがって、投写運転停止の際に毎回掃除運転を行うと無駄な掃除を行う場合が生じてくる。
【００７７】
本実施の形態に係る投写型映像表示装置は、このような無駄な掃除を排除し、必要な掃除運転のみを行うようにしたものであって、エアフィルタ１１の目詰まりの程度が高いと予測されるような一定の条件を満たした場合にのみ、掃除運転を行うようにしたものである。以下この一定の条件を具体化した掃除運転シーケンスを中心に、この実施の形態に係る投写型映像表示装置について説明する。
【００７８】
この実施の形態における掃除運転シーケンスは、図１１に示すように、全体電源部３５が商用電源等の電源に接続されると運転スイッチＯＮ待ちのスタンバイ状態となる（ステップＳ４１）。次いで、運転スイッチがＯＮされたかを判断し、運転スイッチがＯＮされた場合（ステップＳ４２でＹＥＳの場合）エアフィルタ１１の累積使用時間Ｔを計測する累積タイマをスタートさせ、累積使用時間Ｔをカウントする（ステップＳ４３）。エアフィルタ１１の使用時間は、吸気ファン２７の運転開始から停止までの時間であり、エアフィルタ１１の累積使用時間Ｔは、この使用時間の累積である。また、カウントされた累積使用時間Ｔにより記憶部３２に記憶されている累積使用時間Ｔを更新する。
【００７９】
そして、次に目詰まりセンサ３１が閾値を検出したかどうかが判断され（ステップＳ４４）、目詰まりセンサ３１が閾値を検出したと判断された場合（ステップＳ４４でＹＥＳの場合）は、目詰まりフラグＦａが１にセットされるとともに不揮発メモリに記憶される（ステップＳ４５）。次に、運転スイッチがＯＦＦされたか判断され（ステップＳ４６）、運転スイッチがＯＦＦされた場合（ステップＳ４６でＹＥＳの場合）には、目詰まりフラグＦａが１であるか判断される（ステップＳ４７）。なお、この場合はステップＳ４５において目詰まりフラグＦａが１と設定された状態が維持されているのでステップＳ４７でＹＥＳと判断され、第１掃除運転サブルーチンが作動する（ステップＳ４８）。
【００８０】
また、前述のステップ４４において目詰まりセンサ３１が閾値を検出していないと判断された場合（ステップＳ４４でＮＯの場合）、エアフィルタ１１の累積使用時間Ｔが予め設定された標準設定時間Ｔａを越えたかどうか判断される（ステップＳ４９）。ここで標準設定時間Ｔａとは、エアフィルタ１１の目詰まりを判断するために予め設定された時間であり、エアフィルタ１１の掃除が必要と思われる時間を予測したものである。そして、累積使用時間Ｔが標準設定時間Ｔａを越えていた場合（ステップＳ４９でＹＥＳの場合）、ステップＳ４５に進み目詰まりフラグＦａが１に更新される（ステップＳ４５）。したがって、この場合も運転スイッチがＯＦＦされた場合（ステップＳ４６でＹＥＳの場合）、目詰まりフラグＦａが１であるのでステップＳ４７でＹＥＳと判断され、第１掃除運転サブルーチンが作動する（ステップＳ４８）。
【００８１】
本実施の形態においては、このように目詰まりセンサ３１が閾値を検出して運転スイッチがＯＦＦされた場合と、エアフィルタ１１の累積使用時間Ｔが標準設定時間Ｔａを越えた状態で運転スイッチがＯＦＦされた場合に、図６に示した第１掃除運転サブルーチンが作動し、エアフィルタ１１の掃除運転が行われる。
【００８２】
第１掃除運転サブルーチンが作動したときの掃除運転は、実施の形態１の場合と同様であって前述の図７に示すように、運転スイッチＯＦＦから所定時間ｔ１が経過するまでは、液晶ライトバルブ２４Ｒ，２４Ｇ，２４Ｂを冷却するクーリング運転が行われる。また、運転スイッチＯＦＦから所定時間ｔ２が経過するまで光源ランプ２５を冷却するクーリング運転が行われる。そして、所定時間ｔ１経過後に掃除運転が行われる。この掃除運転は、光源ランプ２５を冷却するクーリング運転が行われる間に完了するように設定されている。そして、この掃除運転が完了することにより第１掃除運転サブルーチンが終了し、これに伴いランプ冷却ファン２８及び排気ファン２９の運転が停止される（ステップＳ５０）。また、累積タイマがリセットされるとともに目詰まりフラグＦａが０にリセットされて不揮発性メモリに記憶され（ステップＳ５１）、この掃除運転シーケンスが終了する。
【００８３】
また、前述のステップ４９において、エアフィルタ１１の累積使用時間Ｔが予め設定された標準設定時間Ｔａを越えていないと判断された場合（ステップＳ４９でＮＯの場合）はステップＳ４６に進む。このときは、運転スイッチがＯＦＦ（ステップＳ４６でＹＥＳ）となっても、目詰まりフラグＦａが０のまま維持されているのでステップＳ４７でＮＯと判断され、累積使用時間Ｔが不揮発メモリに記憶された状態で終了される。
【００８４】
実施の形態４に係る投写型映像表示装置は、以上のように構成されているので実施の形態１における（１）〜（３）の効果に加えて、次の効果を奏することができる。
（５）掃除運転シーケンスは、投写運転停止の際に、エアフィルタ１１の目詰まり程度が高いと予測されるような一定の条件を満たしている場合に掃除運転が行われるように構成されている。したがって、この構成によれば、投写運転停止の際に毎回掃除運転を行う必要がなく、不要な掃除運転を回避することができる。
【００８５】
（６）また、前記一定の条件を、エアフィルタ１１の掃除運転後の累積使用時間Ｔが予め定められた標準設定時間Ｔａを越えている場合、又は、エアフィルタ１１の目詰まりが検出されている場合としているので、２４時間連続して投写運転されるような特殊用途でない限りエアフィルタ１１の目詰まりによる光学部品の冷却不足を回避することができる。
【００８６】
（７）また、投写運転中にエアフィルタ１１の塵埃を除去する掃除運転が行われることがないので、エアフィルタ１１に付着した塵埃が冷却空気中に再飛散するおそれをなくすることができる。
【００８７】
（実施の形態５）
次に、実施の形態５に係る投写型映像表示装置について、図１２及び図１３に基づき説明する。
【００８８】
この実施の形態５は、前述の実施の形態４において掃除運転シーケンスを変更したものであって、その他の構成は実施の形態４と同一である。
実施の形態４は、２４時間連続運転されるような長期運転が行われる用途の場合に目詰まりを起こすおそれがある。この実施の形態は、この点を是正したものである。
【００８９】
すなわち、本実施の形態は、投写運転中にエアフィルタ１１の累積使用時間Ｔが標準設定時間Ｔａを越えた場合であって、投写運転が停止されずに引き続き長時間運転されるような場合に、投写運転を停止することなく掃除運転を行わせるものである。
【００９０】
なお、この発明においては、エアフィルタ１１が標準設定時間Ｔａを越えて継続的に使用される場合におけるエアフィルタ１１の使用を付加使用といい、エアフィルタ１１が付加使用されている時間、つまり標準設定時間Ｔａ経過後のエアフィルタ１１の使用時間を付加使用時間ΔＴという。また、エアフィルタ１１の付加使用を許容する時間として予め設定された時間を付加設定時間ΔＴａという。具体的な時間としては、例えば標準設定時間Ｔａが１００時間であり、付加使用時間ΔＴは３０時間である。
【００９１】
以下これを具体化した掃除運転シーケンスを中心に、この実施の形態に係る投写型映像表示装置について説明する。
この実施の形態における掃除運転シーケンスは、実施の形態４の場合と同様に、全体電源部３５が商用電源等の電源に接続されると運転スイッチＯＮ待ちのスタンバイ状態となる（ステップＳ６１）。次いで、運転スイッチがＯＮされたかを判断し（ステップＳ６２）、運転スイッチがＯＮされた場合（ステップＳ６２でＹＥＳの場合）エアフィルタ１１の累積使用時間Ｔを計測する累積タイマをスタートさせる（ステップＳ６３）。これにより、累積使用時間Ｔが累積タイマによりカウントされるとともに記憶部３２に記憶されている累積使用時間Ｔが更新される。ここまでは、実施の形態４における、ステップＳ４１〜ステップＳ４３と同一である。
【００９２】
次に、エアフィルタ１１の累積使用時間Ｔが標準設定時間Ｔａを越えたかどうか判断され（ステップＳ６４）、累積使用時間Ｔが標準設定時間Ｔａを越えている場合は（ステップＳ６４でＹＥＳの場合）は付加タイマがスタートされ付加使用時間ΔＴがカウントされて記憶部３２の不揮発メモリに記憶される（ステップＳ６５）。また、目詰まりフラグＦａが１にセットされるとともに不揮発メモリに記憶される（ステップＳ６６）。続いて、付加使用時間ΔＴが付加設定時間ΔＴａを越えているか判断され（ステップＳ６７）、付加設定時間ΔＴａを越えている場合（ステップＳ６７でＹＥＳの場合）は、エアフィルタ１１の掃除が必要であるとの見方から直ちに掃除運転が行われる（ステップＳ６８）。
【００９３】
この掃除運転は、緊急のものであるため投写運転を継続した状態で行われる。そして、掃除運転完了後にエアフィルタ１１の累積使用時間Ｔを計測する累積タイマ及び付加使用時間ΔＴを計測する付加タイマをリセットするとともに、目詰まりフラグＦａを０にセットし不揮発メモリに記憶させている（ステップＳ６９）。この場合において、累積タイマは、リセットされたのち継続して作動し、リセット後は直ちに累積使用時間Ｔが新たにカウントされている。また、このように累積使用時間Ｔが新たにスタートされることにより付加タイマは停止されるものとする。
【００９４】
このように、この実施の形態においては、投写運転中にエアフィルタ１１の累積使用時間Ｔが標準設定時間Ｔａを越え、さらにその後の付加使用時間ΔＴが付加設定時間ΔＴａを越えるような長時間の使用になる場合には、投写運転中にも拘わらずエアフィルタの掃除運転を実行し、エアフィルタ１１の目詰まりによる弊害を回避するようにしている。また、掃除運転終了後に直ちに運転停止されるような場合（ステップＳ７０でＹＥＳの場合）があっても、目詰まりフラグＦａが０であるためステップ７１でＮＯと判断され掃除運転シーケンスが終了するように構成されている（ステップＳ７１でＮＯ→終了）。また、逆に、運転停止されずに継続される場合（ステップＳ７０でＮＯの場合）は、ステップ６４に戻り継続して運転可能に構成されている。
【００９５】
一方、前述のステップＳ６４において、累積使用時間Ｔが標準設定時間Ｔａを越えている場合であって（ステップＳ６４でＹＥＳ）、付加使用時間ΔＴが付加設定時間ΔＴａを越えていない場合（ステップＳ６７でＮＯの場合）は、ステップＳ６８及びステップＳ６９を飛び越えて運転スイッチがＯＦＦされたかどうか判断される（ステップＳ７０）。そして、運転スイッチがＯＦＦされた場合（ステップＳ７０でＹＥＳの場合）には目詰まりフラグＦａが１かどうか判断される（ステップＳ７１）。この場合はステップＳ６６で目詰まりフラグＦａが１にセットされた状態が継続されているので、ステップＳ７１でＹＥＳと判断され、第１掃除運転サブルーチンが作動する（ステップＳ７２）。したがって、この実施の形態においては、累積使用時間Ｔが標準設定時間Ｔａを越えるが、付加使用時間ΔＴが付加設定時間ΔＴａを越える前に停止された場合は、実施の形態４の場合において累積使用時間Ｔが標準設定時間Ｔａを越えていた場合と同様に、第１掃除運転サブルーチンが作動する。
【００９６】
上記における第１掃除運転サブルーチンは、実施の形態１において説明した図６の手順に従い掃除運転が行われる。なお、この掃除運転が終了したときに第１掃除運転サブルーチンが終了する。
【００９７】
そして、第１掃除運転サブルーチンが終了すると、ランプ冷却ファン２８及び排気ファン２９が停止される（ステップＳ７３）。そして、さらにエアフィルタの累積使用時間Ｔを計測する累積タイマ及び付加使用時間ΔＴを計測する付加タイマがリセットされるとともに、目詰まりフラグＦａが０にセットされて不揮発メモリに記憶されて（ステップＳ７４）、この掃除運転が終了される。
【００９８】
また、上記のフローにおいて、ステップＳ７１でＮＯと判断されるのは、目詰まりフラグＦａが０の場合であるが、このような判断が下されるのは後述するステップＳ７５でＮＯと判断された場合である。また、このステップＳ７１でＮＯと判断された場合は、この掃除運転シーケンスは終了される。この場合は累積使用時間Ｔが不揮発メモリに記憶させた状態で終了される。
【００９９】
一方、この掃除運転シーケンスは、前述のステップＳ６４においてエアフィルタ１１の累積使用時間Ｔが標準設定時間Ｔａを越えていないと判断された場合（ステップＳ６４でＮＯの場合）は、目詰まりセンサ３１が閾値を検出したか判断される（ステップＳ７５）。そして、目詰まりセンサ３１が閾値を検出している場合（ステップＳ７５でＹＥＳの場合）は、目詰まりフラグＦａを１にセットし不揮発メモリに記憶させて（ステップＳ７６）、運転スイッチがＯＦＦされたかを判断される（ステップＳ７０）。また、目詰まりセンサ３１が閾値を検出していない場合（ステップＳ７５でＮＯの場合）は何らの処理を行わずに、運転スイッチがＯＦＦされたかが判断される（ステップＳ７０）。このステップＳ７０から終了までの手順は、上述の通りである。また、この手順は、実施の形態４の掃除運転シーケンスにおけるステップＳ４６から終了までの手順と同一である。
【０１００】
本実施の形態の掃除運転シーケンスは以上のように構成されているので、次のように要約することができる。
まず、投写運転中に掃除運転が行われるのは、エアフィルタ１１の累積使用時間Ｔが標準設定時間Ｔａを越えていると判断されるとともに、さらに投写運転が継続され、その付加使用時間ΔＴが付加設定時間ΔＴａを越えている場合（ステップＳ６７でＹＥＳの場合）である。
【０１０１】
また、運転スイッチがＯＦＦされたときに掃除運転が行われるのは、累積使用時間Ｔが標準設定時間Ｔａを越えたが、付加使用時間ΔＴが付加設定時間ΔＴａを越えていない場合（ステップＳ６７でＮＯの場合）と、累積使用時間Ｔが標準設定時間Ｔａを越えていないが、目詰まりセンサ３１が閾値を検出している場合（ステップＳ７５でＹＥＳに場合）とである。
【０１０２】
なお、運転スイッチがＯＦＦされても掃除運転が行われずにこの掃除運転シーケンスが終了されるのは、累積使用時間Ｔが標準設定時間Ｔａを越えなくて、目詰まりセンサ３１が閾値を検出していない場合（ステップＳ７５でＮＯの場合）である。
【０１０３】
実施の形態５に係る投写型映像表示装置は、以上のように構成されているので実施の形態１における（１）〜（３）及び実施の形態４における（５）及び（６）の効果に加えて、次の効果を奏することができる。
【０１０４】
（８）また、投写運転中に予め設定された標準設定時間Ｔａを越えた場合において、その後の付加使用時間ΔＴが予め設定された付加設定時間ΔＴａを越えた場合に投写運転中であってもエアフィルタ１１の塵埃を除去する掃除運転が行われるように構成されている。したがって、２４時間連続投写運転されるおそれのある用途や、通常２４時間連続投写運転が行われる特殊用途に使用される場合であっても、掃除運転を行うことによりエアフィルタ１１の目詰まりを防止することができる。
【０１０５】
（実施の形態６）
次に、実施の形態６に係る投写型映像表示装置について、図１４及び図１５に基づき説明する。
【０１０６】
この実施の形態は、実施の形態４の場合と同様に、投写運転停止の際には一定条件を満たす場合のみ掃除運転を行うものである。また、この実施の形態は、実施の形態５の場合と同様に２４時間連続運転されるような特殊用途に対応できるようにしたものである。また、この実施の形態６の掃除運転シーケンスは、実施の形態４における掃除運転シーケンスを部分的に変更したものである。
【０１０７】
すなわち、投写運転中に目詰まりセンサ３１が閾値を検出した場合、実施の形態４では投写運転が停止された場合に掃除運転を行うようされていたが、この実施の形態では投写運転中に直ちに掃除運転を行うようにしており、この点で実施の形態４と相違する。以下、この実施の形態の説明として、実施の形態４との相違点である掃除運転シーケンスの相違点を中心に説明する。なお、実施の形態４と同一内容のステップには同一のステップ番号を付し、その説明を省略又は簡略化する。
【０１０８】
この実施の形態における掃除運転シーケンスは、図１４に示すように、実施の形態４における掃除運転シーケンス（図１１参照）に対し、ステップＳ８１〜ステップＳ８３を追加したものであって他のステップは変更がない。
【０１０９】
すなわち、この実施の形態においては、実施の形態４の場合と同様に、スタンバイ状態（ステップＳ４１）において運転スイッチがＯＮされて（ステップＳ４２）、累積タイマがスタート（ステップＳ４３）した後、目詰まりセンサ３１が閾値を検出したか判断される（ステップＳ４４）。そして、目詰まりセンサ３１が閾値を検出したと判断された場合（ステップＳ４４でＹＥＳの場合）は、目詰まりフラグを１にセットして（ステップＳ４５）、他の条件を見ることなく直ちに掃除運転が実行される（ステップＳ８１）。そして、掃除運転完了後累積タイマをリセットするとともに、目詰まりフラグＦａを０にリセットしこれを不揮発メモリに記憶している（ステップＳ８２）。この場合において、累積タイマは、リセットされた場合も継続して作動しているので、リセット後は直ちに累積使用時間Ｔが新たにカウントされる。これにより、仮にそのすぐ後に運転停止されるような場合（ステップＳ４６でＯＦＦの場合）があっても、目詰まりフラグＦａが０であるためステップ４７でＮＯと判断され掃除運転シーケンスが終了するように構成されている（ステップＳ４７でＮＯ→終了）。また、逆に、運転停止されずに継続される場合（ステップＳ４６でＮＯの場合）は、ステップＳ４４に戻り継続して運転可能に構成されている。なお、ステップＳ４６以降のフロー（ステップＳ４７〜ステップＳ５１）は、実施の形態４の場合と同一である。
【０１１０】
一方、ステップＳ４４において、目詰まりセンサ３１が閾値を検出しない場合（ステップＳ４４でＮＯの場合）は、実施の形態４の場合と同様にエアフィルタ１１の累積使用時間Ｔが標準設定時間Ｔａを越えたかどうか判断される（ステップＳ４９）。そして、累積使用時間Ｔが標準設定時間Ｔａを越えていた場合に（ステップＳ４９でＹＥＳ）、目詰まりフラグＦａを１にセットして（ステップＳ８３）、運転スイッチがＯＦＦか判断される（ステップＳ４６）。なお、このフローは、一見実施の形態４の場合と相違するように見えるが、内容的には実施の形態４におけるステップ４９でＹＥＳ→ステップＳ４５→ステップＳ４６のフローと同一である。
【０１１１】
実施の形態６に係る投写型映像表示装置は、以上のように構成されているので実施の形態１における（１）〜（３）の効果、並びに、実施の形態４における（５）の効果に加えて次の効果を奏することができる。
【０１１２】
（９）この掃除運転シーケンスは、投写運転停止の際に、エアフィルタ１１の掃除運転後の累積使用時間Ｔが予め定められた標準設定時間Ｔａを越えている場合にのみ、掃除運転が行われる。したがって、この構成によれば、投写運転停止の際に毎回掃除運転を行う必要がなく、不要な掃除運転を回避することができる。
【０１１３】
（１０）また、投写運転中に、エアフィルタ１１の目詰まりが検出された場合には、投写運転の停止を待たずに掃除運転が行われるように構成されている。したがって、長時間運転される場合、例えば２４時間連続投写運転される場合であっても、確実にエアフィルタ１１の目詰まりを防止することができる。
【０１１４】
（実施の形態７）
次に、実施の形態７に係る投写型映像表示装置について、図１６及び図１７に基づき説明する。
【０１１５】
この実施の形態は、実施の形態４の場合と同様に、投写運転停止の際には一定条件を満たす場合のみ掃除運転を行うとともに、この掃除運転が行われた直後の運転開始時にさらに掃除運転を行うようにしたものであって、前述の実施の形態４における掃除運転シーケンスを部分的に変更したものである。
【０１１６】
すなわち、実施の形態４においては、投写運転開始時には掃除運転が行われていなかったが、この実施の形態においては、掃除運転が行われた直後の投写運転時に掃除運転を行うことにより、エアフィルタ１１の寿命の長期化を図ったものである。この点についての考え方は実施の形態３の場合と同様である。
【０１１７】
したがって、本実施の形態は、実施の形態４と比較すると、実施の形態４の掃除運転シーケンスに対し投写運転開始時に掃除を行うステップを追加した点が相違する。以下、この実施の形態の説明として、実施の形態４との相違点である掃除運転シーケンスの相違点を中心に説明する。なお、実施の形態４と同一内容のステップには同一のステップ番号を付し、その説明を省略又は簡略化する。
【０１１８】
この実施の形態における掃除運転シーケンスは、図１６及び図１７に示すように、実施の形態４における掃除運転シーケンス（図１１参照）において、ステップＳ９１〜ステップＳ９４を追加したものである。
【０１１９】
すなわち、この実施の形態においては、スタンバイ状態（ステップＳ４１）において運転スイッチがＯＮされた場合に（ステップＳ４２でＹＥＳの場合に）、累積タイマがスタートするステップＳ４３へ進む前に掃除フラグＦｂが１かどうか判断される（ステップＳ９１）。掃除フラグＦｂは、直前の投写運転停止の際に掃除運転されなかった場合は０であり（ステップＳ４７でＮＯ→終了の場合）、直前の投写運転停止の際に掃除運転された場合は１となっている（ステップＳ９４）。したがって、投写運転開始直前の投写運転停止の際に掃除運転されている場合は掃除フラグＦｂが１であると判断されるので（ステップＳ９１でＹＥＳ）、掃除運転が実行される（ステップＳ９２）。そして、掃除運転が実行されて完了すると、掃除フラグが０にセットされる（ステップＳ９３）。
【０１２０】
しかし、投写運転開始直前の投写運転停止の際に掃除運転されていない場合は掃除フラグＦｂが０で維持されており、ステップＳ９１で掃除フラグＦｂが１かの判断においてＮＯと判断されるので（ステップＳ９１でＮＯ）、掃除運転されることなく累積タイマスタートのステップＳ４３に進む（ステップＳ９１でＮＯ→ステップＳ４３）。したがって、投写運転開始直前の投写運転停止の際に掃除運転されていない場合は、その後の投写運転開始時において掃除運転が行われない。
【０１２１】
このようにして累積タイマがスタート（ステップＳ４３）した後は、実施の形態４の場合と同様の条件で運転スイッチがＯＦＦされた場合に第１掃除運転サブルーチンが作動する（ステップＳ４８）。この条件は、目詰まりセンサ３１が閾値を検出した場合（ステップＳ４４でＹＥＳ）と、エアフィルタ１１の累積使用時間Ｔが標準設定時間Ｔａを越えていた場合（ステップＳ４４でＮＯ→ステップＳ４９でＹＥＳ）とである。なお、掃除運転が完了した後は、掃除フラグＦｂが１にセットされるとともに不揮発性メモリに記憶されて終了される（ステップＳ９４→終了）。また、このような条件に当てはまらない状況下で運転スイッチがＯＦＦされた場合は、掃除フラグＦｂが０にセットされた状態であるため、ステップＳ４７でＮＯと判断され、掃除運転が行われずに終了される（ステップＳ４７でＮＯ→終了）。
【０１２２】
実施の形態７に係る投写型映像表示装置は、以上のように構成されているので実施の形態１における（１）〜（３）の効果、及び、実施の形態４における（５）〜（７）の効果に加えて、次の効果を奏することができる。
【０１２３】
（１１）投写運転開始直前の投写運転停止時にエアフィルタ１１の掃除運転が完了している場合には、投写運転しながらエアフィルタの掃除運転が行われる。この投写運転開始時の掃除運転においては、冷却空気中へ再飛散する塵埃が少なくなるので、掃除運転を入念に行うこと、具体的には、回転ブラシ１８の左右方向への移動を複数回、例えば５回とすることにより、エアフィルタ１１に残る塵埃量を少なくすることができる。これによりエアフィルタ１１の寿命を長期化することができる。
【０１２４】
（変形例）
本発明は、上記実施の形態において以下のように変更することができる。
・実施の形態４〜実施の形態７においては、図６に記載した第１掃除運転サブルーチンを備えているが、これを図９に記載した第２運転サブルーチンとしてもよい。
【０１２５】
・エアフィルタの掃除手段としては、前記実施の形態に記載されているような構成のものに限るものではない。例えば、エアフィルタ１１の塵埃を掻き取る回転ブラシ１８を回転しないものとして左右方向に移動させるようにしたものでもよい。また、ブラシを固定式としエアフィルタを左右方向に移動させるようにしたものでもよい。
【０１２６】
・また、実施の形態３及び実施の形態７における投写運転開始時の掃除運転は、投写運転終了の際の掃除運転に比し回転ブラシ１８の左右方向への往復移動回数を複数回とすることを記載しているが、往復移動回数を増加させるだけではなく回転ブラシ１８の移動速度を遅くすることも付加して、塵埃除去をより確実に行うようにしてもよい。
【０１２７】
・実施の形態５及び実施の形態６において、実施の形態７に倣って投写運転開始時に掃除運転行うようにしてもよい。
・吸気ファンは吸気チャンバ５ａに配置されていたが、このような吸気チャンバ５ａにダクトを接続しこのダクトを介してエアフィルタ１１を通過した機外空気を取り入れ、液晶ライトバルブ２４Ｒ，２４Ｇ，２４Ｂへ送風するようにしてもよい。
【０１２８】
・また、吸気ファン２７、ランプ冷却ファン２８及び排気ファン２９は、遠心ファン、プロペラファンなど形式が何であるかを問わない。また、これらファンの台数も前記実施の形態においては１台としていたが、１台に限る必要はなくそれぞれ複数台としてもよい。例えば、光源ランプ２５が複数台からなる場合に、各光源ランプ毎にランプ冷却ファンを設けてもよい。また、液晶ライトバルブ２４は赤色光用の液晶ライトバルブ２４Ｒ、緑色光用の液晶ライトバルブ２４Ｇ及び青色光用の液晶ライトバルブ２４Ｂからなるが、これらを液晶ライトバルブ２４Ｒ，２４Ｇ，２４Ｂ毎に吸気ファンを設けてもよい。
【０１２９】
・実施の形態５において、付加使用時間ΔＴを計測するために累積タイマとは別に付加タイマを使用しているが、付加タイマの使用に代えて累積タイマにより計測される累積使用時間Ｔと標準設定時間Ｔａとの差を算出するようにすれば、付加タイマの使用が不要となる。また、この場合の掃除運転シーケンスは、図１２において、付加タイマをスタートさせるステップ６５を削除するとともに、ステップ６５における付加タイマのリセットを削除すればよい。
【０１３０】
・投写型映像表示装置は、前記実施の形態のような３板式液晶プロジェクタに限らず広く液晶ライトバルブを用いた投写型映像表示装置に適用することができる。また、ＤＭＤ（Digital Micromirror Device）と略称されているマイクロミラー素子からなる反射型表示素子を用いをプロジェクタにも適用することができる。
【符号の説明】
【０１３１】
Ｔ…累積使用時間、Ｔａ…標準設定時間、ΔＴ…付加使用時間、ΔＴａ…付加設定時間、３…空気吸込口、１０…エアフィルタ装置、１１…エアフィルタ、２４…液晶ライトバルブ、２５…光源ランプ、２７…吸気ファン、２８…ランプ冷却ファン、２９…排気ファン。
【図１】
2012128281.tif 000003
【図２】
2012128281.tif 000004
【図３】
2012128281.tif 000005
【図４】
2012128281.tif 000006
【図５】
2012128281.tif 000007
【図６】
2012128281.tif 000008
【図７】
2012128281.tif 000009
【図８】
2012128281.tif 000010
【図９】
2012128281.tif 000011
【図１０】
2012128281.tif 000012
【図１１】
2012128281.tif 000013
【図１２】
2012128281.tif 000014
【図１３】
2012128281.tif 000015
【図１４】
2012128281.tif 000016
【図１５】
2012128281.tif 000017
【図１６】
2012128281.tif 000018
【図１７】
2012128281.tif 000019